(57)【特許請求の範囲】
【請求項１】
１つの目盛板上において１つの指針で指し示される抵抗目盛が表記されて構成されたメータ部と、抵抗測定モードおよび電圧測定モードのうちの１つを選択するモード切替スイッチと、抵抗測定のオン・オフを切り替えるメジャースイッチと、警報出力部と、テストリードが接続されるコネクタと、前記抵抗測定モードのときに前記コネクタに接続されている前記テストリードを介して測定対象の抵抗を測定すると共に、前記電圧測定モードのときに当該コネクタに接続されている当該テストリードを介して測定対象の電圧を測定する測定部とを備え、
前記測定部は、電源回路、電流計、電圧計および処理回路を備え、
前記電流計および前記電圧計は、前記コネクタに常時接続され、
前記処理回路は、前記モード切替スイッチで前記抵抗測定モードが選択された状態において前記メジャースイッチが未操作のときに、前記メータ部を制御して前記指針の動作を停止させると共に、前記電圧計によって測定された電圧と予め規定されたしきい値とを比較して当該測定された電圧が当該予め規定されたしきい値以上のときに前記警報出力部を作動させ、前記モード切替スイッチで前記抵抗測定モードが選択された状態において前記メジャースイッチが操作されたときに、前記電源回路を制御して測定電圧および測定電流のいずれか予め規定された一方を出力させ、かつ前記電流計によって測定された電流および前記電圧計によって測定された電圧に基づいて前記測定対象の抵抗を測定すると共に、前記メータ部を制御して前記指針を駆動させることによって前記抵抗目盛上で測定した抵抗を指し示させる抵抗計。
【発明の詳細な説明】
【技術分野】
【０００１】
本発明は、１本の指針が振れ動く１つの目盛板の表面に電圧目盛および抵抗目盛が表記されたメータ部を備えた抵抗計に関するものである。
【背景技術】
【０００２】
この種の抵抗計として、下記の非特許文献１に開示された抵抗計（絶縁抵抗計）を本願出願人は既に開発している。また、本願出願人は、この絶縁抵抗計とほぼ同じ回路で構成される接地抵抗計についても既に開発している。これらの抵抗計は、メータ部、一対のテストリード（接地抵抗計では、接地側テストリードおよび電線側テストリード）、モード切替スイッチ、メジャースイッチ、赤色ＬＥＤおよび測定部を備えている。メータ部は、１つの目盛板上における１つの指針の振れ角の全範囲に亘って電圧目盛と抵抗目盛とが異なる円弧上に表記されて構成されている。一対のテストリードは、抵抗を測定すべき測定対象の両端に接続される。なお、接地抵抗計では、測定対象としての接地極の接地抵抗を２電極法によって測定するために、一対のテストリードのうちの接地側テストリードが接地極に接続され、電線側テストリードが商用電源ラインの中性線に接続される。また、これらの抵抗計では、測定対象の両端間に発生する電圧（交流電圧）を測定するときには、一対のテストリードは測定対象の各端部に接続される。
【０００３】
モード切替スイッチは、絶縁抵抗計では、測定部による動作モードを、複数の測定電圧（例えば、１２５Ｖ，２５０Ｖ，５００Ｖ）のうちから１つの測定電圧を選択して測定対象に供給しつつ絶縁抵抗を測定する抵抗測定モード、および測定対象の両端間に発生する電圧を測定する電圧測定モードのうちの一方に切り替える。一方、接地抵抗計では、モード切替スイッチは、測定部による動作モードを、予め規定された測定電圧を接地極と中性線との間に供給しつつ接地抵抗を測定する抵抗測定モード、および接地極と中性線との間の電圧を測定する電圧測定モードのうちの一方に切り替える。
【０００４】
メジャースイッチは、抵抗測定モードに設定されている測定部に対して、この抵抗測定モードで作動させる。赤色ＬＥＤは、測定部が抵抗測定モードで作動しているとき（具体的には一対のテストリード間に測定電圧を出力しているとき）、および測定部が抵抗測定モードに設定されているときであって一対のテストリード間の電圧が予め規定されたしきい値以上となったとき（例えば、接地抵抗計では、商用電源ラインの中性線に接続されるべき電線側テストリードが活電線に接続されているとき）に、測定部によって点灯させられる。
【０００５】
測定部は、抵抗測定モードにおいてメジャースイッチが操作されているときに、測定電圧を一対のテストリード間に出力すると共に、この状態において一対のテストリードに流れる電流を測定し、出力した測定電圧と測定した電流とに基づいて、測定対象の抵抗を測定して、指針を振り動かすことでメータ部の抵抗目盛上で測定した接地抵抗を指し示す。また、測定部は、抵抗測定モードにおいてメジャースイッチが操作されているとき（測定電圧を出力しているとき）に、赤色ＬＥＤを点灯制御する。
【０００６】
一方、測定部は、抵抗測定モードにおいてメジャースイッチが操作されていないとき（測定電圧を出力していないとき）には、一対のテストリード間の電圧（接地抵抗計では、接地側テストリードの電位を基準とした電線側テストリードの電圧）を測定して、指針を振り動かすことでメータ部の電圧目盛上で測定した電圧を指し示すと共に、測定した電圧と上記したしきい値（接地抵抗計では、一例としてＡＣ２０Ｖ）とを比較する。この比較の結果、測定した電圧が上記しきい値以上となったときには、測定部は、赤色ＬＥＤを点灯制御して、点灯状態に移行させる。
【０００７】
以上の構成により、これらの抵抗計では、モード切替スイッチで抵抗測定モードを選択した状態において、メジャースイッチを操作することにより、一対のテストリード間に測定電圧を供給して測定対象の抵抗を測定することが可能となっている。また、メジャースイッチを操作している間、赤色ＬＥＤが点灯されて、一対のテストリード間に高電圧が発生している旨が報知されるため、感電を未然に防止することが可能となっている。また、接地抵抗計では、モード切替スイッチで抵抗測定モードを選択した状態において、メジャースイッチを操作していないときに、電線側テストリードを誤って活電線に接続したときにも、赤色ＬＥＤが点灯されて、電線側テストリードが誤接続されている旨が報知されるため、電線側テストリードを活電線から中性線に接続し直すことが可能となっている。また、この際に、電線側テストリードの電圧が指針によってメータ部の電圧目盛上で指し示されるため、電線側テストリードに印加されている電圧についても確認することが可能となっている。また、これらの抵抗計では、モード切替スイッチで電圧測定モードを選択することにより、測定対象の電圧を測定することが可能となっている。
【先行技術文献】
【非特許文献】
【０００８】
【非特許文献１】日置電機株式会社ホームページ／絶縁抵抗計、［平成２２年９月２１日検索］インターネット＜ＵＲＬ：http://hioki.jp/pdf/field/IR40-3450sJ2-9YE-03K.pdf＞
【発明の概要】
【発明が解決しようとする課題】
【０００９】
ところが、上記の抵抗計には、以下のような解決すべき課題が存在している。すなわち、これらの抵抗計では、抵抗測定モードが選択されて、メジャースイッチが操作されていない状態において、一対のテストリード間に電圧が入力されているとき（接地抵抗計では、電線側テストリードを誤って活電線に接続したとき）には、赤色ＬＥＤが点灯されると共に、動作させられた指針によってメータ部の電圧目盛上で一対のテストリード間に入力されている電圧が指し示される。これにより、作業者は、メータ部の指針で示される電圧目盛上の電圧値を一対のテストリード間に入力されている電圧（接地抵抗計では、電線側テストリードの電圧）であると認識することができる。
【００１０】
しかしながら、これらの抵抗計では、メータ部に電圧目盛と共に抵抗目盛も表記されており、振り動かされた指針は電圧目盛上の電圧値と共に抵抗目盛上の抵抗値についても指し示す状態にあるため、これらの抵抗計には、この抵抗計に不慣れな作業者が、指針で指し示されている抵抗目盛上の抵抗値を測定対象の抵抗であると誤って認識することがあるという解決すべき課題が存在している。
【００１１】
本発明は、かかる課題を解決すべくなされたものであり、誤認識を回避し得る抵抗計を提供することを主目的とする。
【課題を解決するための手段】
【００１２】
上記目的を達成すべく請求項１記載の抵抗計は、１つの目盛板上において１つの指針で指し示される抵抗目盛が表記されて構成されたメータ部と、抵抗測定モードおよび電圧測定モードのうちの１つを選択するモード切替スイッチと、抵抗測定のオン・オフを切り替えるメジャースイッチと、警報出力部と、テストリードが接続されるコネクタと、前記抵抗測定モードのときに前記コネクタに接続されている前記テストリードを介して測定対象の抵抗を測定すると共に、前記電圧測定モードのときに当該コネクタに接続されている当該テストリードを介して測定対象の電圧を測定する測定部とを備え、前記測定部は、電源回路、電流計、電圧計および処理回路を備え、前記電流計および前記電圧計は、前記コネクタに常時接続され、前記処理回路は、前記モード切替スイッチで前記抵抗測定モードが選択された状態において前記メジャースイッチが未操作のときに、前記メータ部を制御して前記指針の動作を停止させると共に、前記電圧計によって測定された電圧と予め規定されたしきい値とを比較して当該測定された電圧が当該予め規定されたしきい値以上のときに前記警報出力部を作動させ、前記モード切替スイッチで前記抵抗測定モードが選択された状態において前記メジャースイッチが操作されたときに、前記電源回路を制御して測定電圧および測定電流のいずれか予め規定された一方を出力させ、かつ前記電流計によって測定された電流および前記電圧計によって測定された電圧に基づいて前記測定対象の抵抗を測定すると共に、前記メータ部を制御して前記指針を駆動させることによって前記抵抗目盛上で測定した抵抗を指し示させる。
【発明の効果】
【００１３】
請求項１記載の抵抗計では、測定部（処理回路）が、モード切替スイッチで抵抗測定モードが選択された状態においてメジャースイッチが未操作のときに、指針の動作を停止させると共に、測定した電圧がしきい値以上のときに警報出力部を作動させる。
【００１４】
したがって、この抵抗計によれば、抵抗測定の際においてメジャースイッチが未操作の場合、測定部に誤って電圧を入力したときに、警報出力部が作動する。また、同時に、測定部によって指針の動作が停止させられて、指針は抵抗目盛上で∞を指し示す状態、つまり、抵抗目盛上で有効な抵抗値を指し示していない状態となっている。このため、作業者は、指針が抵抗目盛上で有効な抵抗値を指し示すことに起因して、この抵抗値を測定対象の抵抗であると誤って読み取るといった事態の発生（誤認識の発生）を確実に回避しつつ、警報出力部の作動により、測定部に誤って電圧が入力されていることを確実に確認することができる。
【図面の簡単な説明】
【００１５】
【図１】接地抵抗計１の接地極４１および商用電源ライン４４への接続状態を説明するための説明図である。
【図２】接地抵抗計１の構成図である。
【図３】指針２２が初期位置に位置した状態での接地抵抗計１の正面図である。
【発明を実施するための形態】
【００１６】
以下、抵抗計の実施の形態について、添付図面を参照して説明する。なお、本例では、抵抗計の一例として、接地抵抗計１を例に挙げて説明する。
【００１７】
最初に、接地抵抗計１の構成について、図１，２を参照して説明する。
【００１８】
接地抵抗計１は、筐体２、メータ部３、接地側テストリード４、電線側テストリード５、モード切替スイッチ６、メジャースイッチ７、警報出力部８および測定部９を備えている。図１に示すように、筐体２は、その正面にメータ部３、モード切替スイッチ６、メジャースイッチ７および警報出力部８が配設されている。また、筐体２は、その上面（上側面）に接地側テストリード４および電線側テストリード５が接続されるコネクタ１１，１２が配設されている。
【００１９】
メータ部３は、目盛板２１、指針２２および駆動回路（不図示）を備えている。駆動回路は、測定部９から出力される制御信号Ｓ１の電圧に応じた角度だけ指針２２を目盛板２１の表面上で駆動する。本例では一例として、駆動回路は、図１において破線で示す位置を指針２２の初期位置（駆動回路によって駆動されていない位置。電圧目盛２３で０Ｖ、抵抗目盛２４で∞を示す位置）として、制御信号Ｓ１の電圧に応じた振れ角θだけ指針２２を左方向（反時計方向）に振り動かす。目盛板２１の表面には、指針２２の振れ角θの全範囲（初期位置から一点鎖線で示す最大振れ位置までの範囲）に亘って電圧目盛２３と抵抗目盛２４とが異なる円弧（同心円上に位置する円弧）上に表記されている。指針２２は、上記した初期位置において、電圧目盛２３上で数値「０」を指し示すと共に、抵抗目盛２４上で記号「∞」を指し示す。なお、このメータ部３は、指針２２が支点を中心として振れ動く構成（回動する構成）を採用しているが、指針２２が直線的に移動する構成を採用することもでき、この構成においては、電圧目盛２３および抵抗目盛２４は、指針の移動方向に沿って平行に並列して表記される。
【００２０】
モード切替スイッチ６は、一例としてロータリースイッチで構成されて、交流電圧を測定する電圧測定モードを選択するスイッチ位置（記号「〜Ｖ」が表記された位置）、および接地抵抗を測定する抵抗測定モードを選択するスイッチ位置（記号「Ω」が表記された位置）のうちから１つを選択可能に構成されている。また、モード切替スイッチ６は、選択されたモードを示すモード情報Ｄｍを生成して測定部９に出力する。また、モード切替スイッチ６は、記号「ＯＦＦ」が表記されたスイッチ位置に設定されたときには、筐体２内に装着されたバッテリ（不図示）からメータ部３、警報出力部８および測定部９に供給されていた電源を遮断する。
【００２１】
メジャースイッチ７は、一例としてプッシュスイッチで構成されて、操作（例えば押下）されているときに制御信号Ｓ２を生成して出力することにより、抵抗測定のオン（測定開始）・オフ（測定終了）を切り替える。警報出力部８は、一例として赤色ＬＥＤ（赤色発光ダイオード）で構成されている。また、警報出力部８は、測定部９から出力される駆動信号Ｓ３によって警報制御される。本例では、警報出力部８を構成する赤色ＬＥＤが点灯制御されて、点灯状態に移行させられる。また、警報出力部８は、測定部９から駆動信号Ｓ３が出力されていないときには、非警報制御される。本例では、警報出力部８を構成する赤色ＬＥＤが非点灯制御されて、非点灯状態に移行させられる。なお、警報出力部８では、ＬＥＤなどのような光による警報に代えて、ブザーなどの音による警報を採用することもできる。
【００２２】
測定部９は、電源回路３１、電流計３２、電圧計３３および処理回路３４を備え、筐体２内に配設されている。電源回路３１は、交流電圧としての測定電圧Ｖｍを生成して出力する。本例では一例として、電源回路３１は、処理回路３４から制御信号Ｓ４を入力したときに、予め規定された電圧値（例えば、ＡＣ５０Ｖなど）の交流電圧を測定電圧Ｖｍとして生成して出力する。電流計３２は、一例として、電源回路３１と電線側テストリード５が接続されるコネクタ１２との間に配設されて、電線側テストリード５に流れる電流（測定電流）の電流値Ｉ１を測定して、処理回路３４に出力する。電圧計３３は、コネクタ１１，１２間（すなわち、接地側テストリード４および電線側テストリード５間：つまり測定対象の電圧）に発生する電圧を接地側テストリード４の電位を基準として測定して、その電圧値Ｖ１を処理回路に出力する。
【００２３】
処理回路３４は、ＣＰＵおよびメモリ、または専用のハードウェアで構成されて、モード切替スイッチ６から出力されるモード情報Ｄｍで示されるモード（電圧測定モードおよび抵抗測定モードのうちの一方のモード）で動作すると共に、抵抗測定モードのときには、さらに制御信号Ｓ２で示されるメジャースイッチ７の操作状態（操作されている状態か、または未操作の状態か）に基づいて２つの動作モード（活線検出モードおよび電圧出力モード）のうちの一方のモードで動作する。
【００２４】
具体的には、処理回路３４は、電圧測定モードでの動作のときには、電圧計３３で測定された電圧値Ｖ１に応じた電圧の制御信号Ｓ１をメータ部３に出力して、メータ部３の駆動回路に対して指針２２を駆動させる（振り動かさせる）ことにより、電圧目盛２３上で電圧値Ｖ１を指し示させる。
【００２５】
また、処理回路３４は、抵抗測定モードでの動作のときであって、メジャースイッチ７が未操作（本例では未押下）のとき（活線検出モードのとき）には、電圧ゼロの制御信号Ｓ１をメータ部３に出力して（または、制御信号Ｓ１のメータ部３への出力を停止して）、メータ部３の駆動回路に対して指針２２を初期位置に維持させる。また、この状態のときには、処理回路３４は、電圧計３３で測定された電圧値Ｖ１と予め規定されたしきい値（一例として、ＡＣ８０Ｖ）とを比較して、電圧値Ｖ１がしきい値以上のときには、警報出力部８に対して駆動信号Ｓ３を出力して点灯制御を実行する。これにより、警報出力部８は、点灯状態に移行する。一方、処理回路３４は、電圧値Ｖ１がしきい値未満のときには、警報出力部８に対する駆動信号Ｓ３の出力を停止して、非点灯制御を実行する。これにより、警報出力部８は、非点灯状態に移行する。
【００２６】
また、処理回路３４は、抵抗測定モードでの動作のときであって、メジャースイッチ７が操作されているとき（電圧出力モードのとき）には、制御信号Ｓ４を電源回路３１に出力して、予め規定された電圧値の交流電圧を出力させると共に、警報出力部８に対して駆動信号Ｓ３を出力して点灯制御を実行する。この状態において、処理回路３４は、電流計３２で測定された電流値Ｉ１および電圧計３３で測定された電圧値Ｖ１に基づいて、接地側テストリード４および電線側テストリード５間の抵抗（抵抗値）を測定する。また、処理回路３４は、測定した抵抗（抵抗値）に応じた電圧の制御信号Ｓ１をメータ部３に出力して、メータ部３の駆動回路に対して指針２２を駆動させる（振り動かさせる）ことにより、抵抗目盛２４上で抵抗（抵抗値）を指し示させる。
【００２７】
次に、接地抵抗計１による接地抵抗の測定動作について、図１，２を参照して説明する。なお、一例として、図１に示すように、大地Ｇに接地された被測定接地極４１（以下、接地極４１ともいう）を測定対象として、その接地抵抗Ｒｘを、屋内に設置されたコンセント４２において２電極法で測定する例を挙げて説明する。この場合、コンセント４２の一対の電源端子４２ａ，４２ｂには、柱上トランス４３の二次側巻線に接続された商用電源ライン４４（活電線４５および中性線４６）が、分電盤４７内に配設されたマスターブレーカ４８、漏電遮断器４９および分岐ブレーカ５０を介して接続されている。また、コンセント４２の接地端子４２ｃには、分電盤４７を介して、接地極４１が接続されている。なお、図中の抵抗Ｒｏは、中性線４６の接地抵抗である。また、２電極法では、各接地抵抗Ｒｘ，Ｒｏの合成抵抗（Ｒｏ＋Ｒｘ）が接地抵抗として測定される。
【００２８】
まず、接地抵抗計１を用いた測定の前処理として、接地側テストリード４をコンセント４２の接地端子４２ｃに接続し、電線側テストリード５をコンセント４２の電源端子４２ｂ（中性線４６に接続された電源端子）に接続する。
【００２９】
次いで、モード切替スイッチ６を操作して、記号「ＯＦＦ」で示されるスイッチ位置にあるモード切替スイッチ６を、図１に示すように、記号「Ω」で示されるスイッチ位置に合わせて、抵抗測定モードを選択する。これにより、筐体２内に装着されたバッテリからメータ部３、警報出力部８および測定部９に対する電源の供給が開始され、測定部９では、電流計３２が電流値Ｉ１を出力し、電圧計３３が電圧値Ｖ１を出力する。モード切替スイッチ６は、記号「Ω」で示されるスイッチ位置にあるため、抵抗測定モードを示すモード情報Ｄｍを出力する。一方、メジャースイッチ７は未操作のため（未だ押下されていないため）、メジャースイッチ７からは制御信号Ｓ２が出力されていない状態となっている。したがって、処理回路３４は、上記した活線検出モードで動作する。
【００３０】
この活線検出モードでは、処理回路３４は、電圧ゼロの制御信号Ｓ１をメータ部３に出力して、メータ部３の駆動回路に対して、図３に示すように指針２２を初期位置に維持させる。また、処理回路３４は、電圧計３３で測定された電圧値Ｖ１と予め規定されたしきい値とを比較する。この場合、電線側テストリード５がコンセント４２の電源端子４２ｂに正常に接続されているときには、接地側テストリード４の電位を基準とした電線側テストリード５の電圧はせいぜいＡＣ十数ボルト程度である。このため、処理回路３４は、電圧値Ｖ１がしきい値未満であることから、警報出力部８に対する駆動信号Ｓ３の出力を停止して、非点灯制御を実行する。これにより、作業者は、抵抗測定モードの状態において警報出力部８が点灯していないため、電線側テストリード５がコンセント４２の電源端子４２ｂに正常に接続されていることを確認することができる。
【００３１】
一方、電線側テストリード５がコンセント４２の電源端子４２ａ（活電線４５に接続された電源端子）に誤って接続されているときには、接地側テストリード４の電位を基準とした電線側テストリード５の電圧はＡＣ１００ボルト以上となる。このため、処理回路３４は、電圧値Ｖ１がしきい値以上であることから、警報出力部８に対して駆動信号Ｓ３を出力して点灯制御を実行する。これにより、作業者は、抵抗測定モードの状態において警報出力部８が点灯しているため、電線側テストリード５がコンセント４２の電源端子４２ａに誤って接続されていることを確認することができる結果、電線側テストリード５をコンセント４２の電源端子４２ｂに正常に接続し直すことができる。なお、この接続のし直しにより、電圧値Ｖ１はしきい値未満となることから、処理回路３４は警報出力部８に対する駆動信号Ｓ３の出力を停止して、非点灯制御を実行する。これにより、警報出力部８は非点灯状態に移行する。
【００３２】
また、この活線検出モードでは、以上のようにして、処理回路３４によって指針２２が初期位置に維持されている。このため、振り動かされた（駆動された）指針２２が抵抗目盛２４上で指し示す抵抗値を合成抵抗（Ｒｏ＋Ｒｘ）であると誤って読み取るといった事態の発生が確実に回避されている。
【００３３】
続いて、電線側テストリード５がコンセント４２の電源端子４２ｂに正常に接続されている状態において、メジャースイッチ７が操作されているときには、抵抗測定モードでもあることから、処理回路３４は、上記した電圧出力モードで動作する。
【００３４】
この電圧出力モードでは、処理回路３４は、制御信号Ｓ４を電源回路３１に出力して、測定電圧Ｖｍの出力を開始させる。これにより、電流計３２を介してコネクタ１２に測定電圧Ｖｍが出力されるため、電線側テストリード５、コンセント４２の電源端子４２ｂ、中性線４６、大地Ｇ、接地極４１、コンセント４２の接地端子４２ｃ、および接地側テストリード４を経由してコネクタ１１に至る経路に電流が流れる。電流計３２は、この電流の電流値Ｉ１を測定して出力する。また、処理回路３４は、警報出力部８に対して駆動信号Ｓ３を出力して点灯制御を実行する。また、処理回路３４は、電流値Ｉ１および電圧値Ｖ１に基づいて、接地側テストリード４および電線側テストリード５間の抵抗（抵抗値）を測定し、測定した抵抗（抵抗値）に応じた電圧の制御信号Ｓ１をメータ部３に出力する。メータ部３では、駆動回路が、制御信号Ｓ１の電圧に応じた振れ角θだけ指針２２を駆動する（振り動かす）。これにより、抵抗（抵抗値）が指針２２によって抵抗目盛２４上で指し示される。
【００３５】
したがって、作業者は、メータ部３において指針２２で示される抵抗（抵抗値）を読み取ることにより、合成抵抗（Ｒｏ＋Ｒｘ）を測定することができる。また、警報出力部８が点灯しているため、作業者は、接地側テストリード４および電線側テストリード５間から高い電圧の測定電圧Ｖｍが出力されていることを認識することができる。この結果、誤って感電するといった事態の発生が大幅に低減されている。
【００３６】
また、モード切替スイッチ６を操作して、記号「〜Ｖ」で示されるスイッチ位置に合わせることで電圧測定モードを選択したときにも、筐体２内に装着されたバッテリからメータ部３、警報出力部８および測定部９に対する電源の供給が開始され、測定部９では、電圧計３３が電圧値Ｖ１を出力する。また、モード切替スイッチ６は、記号「〜Ｖ」で示されるスイッチ位置にあるため、電圧測定モードを示すモード情報Ｄｍを出力する。したがって、処理回路３４は、上記した電圧測定モードで動作する。
【００３７】
この電圧測定モードでは、処理回路３４は、電圧計３３から出力される電圧値Ｖ１に応じた電圧の制御信号Ｓ１をメータ部３に出力する。メータ部３では、駆動回路が、制御信号Ｓ１の電圧に応じた振れ角θだけ指針２２を駆動する（振り動かす）。これにより、電圧測定モードでの測定対象の電圧、つまり、コネクタ１１，１２間の電圧（本例では接地側テストリード４および電線側テストリード５間の電圧）の電圧値Ｖ１が指針２２によって電圧目盛２３上で指し示される。
【００３８】
このように、この接地抵抗計１では、測定部９の処理回路３４が、モード切替スイッチ６で抵抗測定モードが選択された状態においてメジャースイッチ７が未操作のときに、活線検出モードで動作して、指針２２の動作を停止させた状態において接地側テストリード４の電位を基準とした電線側テストリード５（接地側テストリード４および電線側テストリード５間）の電圧測定を実行して、測定した電線側テストリード５の電圧値Ｖ１がしきい値以上のときに警報出力部８に対して点灯制御を実行する。
【００３９】
したがって、この接地抵抗計１によれば、合成抵抗（Ｒｏ＋Ｒｘ）を測定する際に、電線側テストリード５をコンセント４２の電源端子４２ａ（活電線４５に接続された電源端子）に誤って接続したとしても、電線側テストリード５の電圧値Ｖ１がＡＣ１００ボルト以上となってしきい値以上となることから、警報出力部８は警報制御（本例では点灯制御）されて、警報状態（本例では点灯状態）に移行する。また、同時に、処理回路３４によって指針２２の動作が停止させられて、指針２２は抵抗目盛２４上で∞を指し示す状態、つまり、抵抗目盛２４上で有効な抵抗値を指し示していない状態に維持される。このため、作業者は、指針２２が抵抗目盛２４上で有効な抵抗値を指し示すことに起因して、この抵抗値を合成抵抗（Ｒｏ＋Ｒｘ）であると誤って読み取るといった事態の発生（誤認識の発生）を確実に回避しつつ（未然に防止しつつ）、警報出力部８の点灯（警報出力部８からの警報）により、電線側テストリード５がコンセント４２の電源端子４２ａ（活電線４５側）に誤って接続されていることを確実に確認することができる。これにより、作業者は、電線側テストリード５をコンセント４２の電源端子４２ｂに正常に接続し直すことができるため、合成抵抗（Ｒｏ＋Ｒｘ）を確実に測定することができる。
【００４０】
なお、上記の接地抵抗計１では、処理回路３４が、電圧測定モードでの動作のときに、警報出力部８を非点灯状態に制御しているが、点灯状態に移行させる構成を採用することもできる。
【００４１】
また、抵抗計の一例として、接地抵抗計１を例に挙げて説明したが、モード切替スイッチ６で抵抗測定モードが選択された状態においてメジャースイッチ７が未操作のときに、指針２２の動作を停止させた状態において、測定対象の電圧測定を実行して、測定した電圧がしきい値以上のときに警報出力部８を作動させて警報状態に移行させる構成を絶縁抵抗計に適用してもよいのは勿論である。
【００４２】
また、上記の接地抵抗計１や絶縁抵抗計では、メータ部３に表記された電圧目盛２３を指針２２で指し示すことにより、測定した電圧を表示する構成を採用しているが、この構成に代えて、ＬＥＤやＬＣＤで構成されたレベルメータを採用して、電圧を表示させる構成を採用することもできる。この構成では、処理回路３４は、電圧目盛２３を備えたメータ部３に対する指針２２の動作を停止させる制御に代えて、レベルメータのＬＥＤやＬＣＤを非点灯状態に維持する制御を実行する。
【００４３】
また、上記の接地抵抗計１や絶縁抵抗計では、電源回路３１が測定電圧Ｖｍを出力する構成を採用しているが、測定電流を出力する構成を採用することもできる。
【符号の説明】
【００４４】
１  接地抵抗計
３  メータ部
４  接地側テストリード
５  電線側テストリード
６  モード切替スイッチ
７  メジャースイッチ
８  警報出力部
９  測定部
２１  目盛板
２２  指針
２３  電圧目盛
２４  抵抗目盛
【図１】
0005634816.tif 000002
【図２】
0005634816.tif 000003
【図３】
0005634816.tif 000004